(57)【要約】【目的】  電子機器の消費電力をより低減させる。【構成】  ＡＳＩＣ１１０は、ＳＤＲＡＭ１０２（記憶手段）へのアクセスが行っていない時に、そのＳＤＲＡＭ１０２をセルフリフレッシュモードに切り替えると共に、クロック供給部１１５によるＳＤＲＡＭ１０２へのクロックの供給を停止する。このとき、ＳＤＲＡＭ１０２をセルフリフレッシュモードに切り替えた直後に、クロック供給部１１５によるＳＤＲＡＭ１０２へのクロックの供給を停止するとよい。【選択図】        図２
2006262377.tif 000002
【特許請求の範囲】
【請求項１】
データを記憶する記憶手段と、該記憶手段へのアクセスを行うアクセス手段と、前記記憶手段および前記アクセス手段へ動作用のクロックを供給するクロック供給手段とを有する電子機器において、
前記記憶手段へのアクセスが行われていない場合に、該記憶手段をセルフリフレッシュモードに切り替えるモード切替手段と、
前記記憶手段へのアクセスが行われていない場合に、前記クロック供給手段による前記記憶手段へのクロックの供給を停止するクロック停止手段と
を設けたことを特徴とする電子機器。
【請求項２】
請求項１記載の電子機器において、
前記モード切替手段は、省エネルギーモードに移行した際に、前記記憶手段をセルフリフレッシュモードに切り替える手段であり、
前記クロック停止手段は、省エネルギーモードに移行した際に、前記クロック供給手段による前記記憶手段へのクロックの供給を停止する手段である
ことを特徴とする電子機器。
【請求項３】
請求項１又は２記載の電子機器において、
前記クロック停止手段は、前記モード切替手段によって前記記憶手段がセルフリフレッシュモードに切り替えられた後、前記クロック供給手段による前記記憶手段へのクロックの供給を停止することを特徴とする電子機器。
【請求項４】
請求項１乃至３のいずれか一項に記載の電子機器において、
前記アクセス手段は、ＡＳＩＣであることを特徴とする電子機器。
【請求項５】
請求項１乃至４のいずれか一項に記載の電子機器において、
前記クロック停止手段は、前記アクセス手段に備えられていることを特徴とする電子機器。
【発明の詳細な説明】
【技術分野】
【０００１】
この発明は、画像形成装置（例えばデジタル複写機，プリンタ，ファクシミリ装置，スキャナ，あるいはそれらの装置の機能を統合したデジタル複合機）や画像読取装置（例えばスキャナ装置）等の各種の電子機器に関する。
【背景技術】
【０００２】
上記のような電子機器は、一般に、メモリ（記憶手段）へのアクセスを行うＣＰＵ（中央演算処理装置）やＡＳＩＣ（Application Specific Integrated Circuit）等のアクセス手段を備えている。
このような電子機器として、アクセス手段がメモリへのアクセスを行っていない時に、そのメモリをセルフリフレッシュモードに移行させることにより、必要最小限のタイミングでリフレッシュ動作だけを行ってメモリに記憶されているデータを保持するようにし、メモリの消費電力を低減できるようにしたものがある。
【発明の開示】
【発明が解決しようとする課題】
【０００３】
上述したような電子機器において、消費電力、特に省エネモード（省エネルギーモード）時の消費電力は、近年、数Ｗ以下を要求されているが、その要求に応えることは難しい。なお、ここでの省エネモードとは、印刷要求等の動作要求に対して即受付可能な低電力状態（画像形成装置であればコントローラ以外のユニットの電源をＯＦＦにする状態）をいう。
この発明は上記の点に鑑みてなされたものであり、電子機器の消費電力をより低減させることを目的とする。
【課題を解決するための手段】
【０００４】
この発明は、データを記憶する記憶手段と、該記憶手段へのアクセスを行うＡＳＩＣ等のアクセス手段と、上記記憶手段および上記アクセス手段へ動作用のクロックを供給するクロック供給手段とを有する電子機器において、上記の目的を達成するため、上記記憶手段へのアクセスが行われていない場合に、該記憶手段をセルフリフレッシュモードに切り替えるモード切替手段と、上記記憶手段へのアクセスが行われていない場合に、上記クロック供給手段による上記記憶手段へのクロックの供給を停止するクロック停止手段とを設けたものである。
【０００５】
なお、上記モード切替手段を、省エネルギーモードに移行した際に、上記記憶手段をセルフリフレッシュモードに切り替える手段とし、上記クロック停止手段を、省エネルギーモードに移行した際に、上記クロック供給手段による上記記憶手段へのクロックの供給を停止する手段とすればよい。
また、上記クロック停止手段が、上記モード切替手段によって上記記憶手段がセルフリフレッシュモードに切り替えられた後、上記クロック供給手段による上記記憶手段へのクロックの供給を停止することが望ましい。
さらに、上記アクセス手段が、上記クロック停止手段としての機能を備えてもよい。
【発明の効果】
【０００６】
この発明の電子機器によれば、記憶手段（メモリ）へのアクセスが行われていない場合に、その記憶手段をセルフリフレッシュモードに切り替えると共に、クロック供給手段による記憶手段へのクロックの供給を停止するので、電子機器の消費電力をより低減させることができる。また、不要な輻射ノイズも低減することができる。
【発明を実施するための最良の形態】
【０００７】
以下、この発明を実施するための最良の形態を図面に基づいて説明する。
図１は、この発明を実施する画像形成装置の構成例を示すブロック図である。
この画像形成装置は、例えばデジタル複写機，プリンタ，ファクシミリ装置，スキャナ，あるいはそれらの装置の機能を統合したデジタル複合機であり、装置ユニットであるシステムコントローラ１００と操作パネル１２０とを備えている。
【０００８】
システムコントローラ１００は、ＣＰＵ１０１，ＳＤＲＡＭ１０２，ＦＬＡＳＨメモリ（フラッシュメモリ）１０３，ＩＣカードインタフェース（以下「インタフェース」を「Ｉ／Ｆ」という）１０４，ネットワークコントローラ１０５，操作パネルＩ／Ｆ１０６，エンジンＩ／Ｆ１０７，ＮＶＲＡＭ１０８，Ｉ／Ｏコントローラ１０９，およびＡＳＩＣ１１０を備え、それらをバス１１１によって接続している。
【０００９】
ＣＰＵ１０１は、この画像形成装置全体を統括的に制御する中央演算処理装置（アクセス手段）である。
ＳＤＲＡＭ１０２は、ＣＰＵ１０１が処理を行う際に利用するワークメモリ、入力データを一時的に記憶するインプットバッファ、ページ単位の画像データ（プリントデータ）を記憶するページメモリ等として使用される主記憶メモリ（記憶手段）である。
ＦＬＡＳＨメモリ１０３は、システムコントローラ１００を制御する（ＣＰＵ１０１が実行する）プログラムを格納する不揮発性且つ電気的書き換え可能なメモリである。
【００１０】
ＩＣカードＩ／Ｆ１０４は、ＦＬＡＳＨメモリ１０３に格納されているプログラムを書き換える場合などに、ブートし書き換えプログラムを実行させるための図示しないＩＣカードを接続するためのインタフェースである。
ネットワークコントローラ１０５は、ＬＡＮ（Local Area Network）等のネットワークとのインタフェースをとるためのコントローラである。
操作パネルＩ／Ｆ１０６は、この画像形成装置の状態の表示や各種設定を行うための操作パネル１２０との間で信号のやりとりを行うインタフェースである。
【００１１】
エンジンＩ／Ｆ１０７は、図示しないエンジンユニットとの間でコマンド，ステータス情報や画像データの通信を行うインタフェースである。
ＮＶＲＡＭ１０８は、各種データを記憶保持する不揮発性メモリである。
Ｉ／Ｏコントローラ１０９は、図示しないパーソナルコンピュータ等のホスト装置（外部装置）との間で通信を行うコントローラである。
ＡＳＩＣ１１０は、ＳＤＲＡＭ１０２やその他バス１１１に繋がる前述した通信（インタフェース）やメモリを制御する特定用途向け集積回路（アクセス手段）である。
【００１２】
図２は、システムコントローラ１００における要部構成例を示すブロック図である。
このシステムコントローラ１００において、１１５は図１では図示を省略したクロック供給部（クロック供給手段）であり、ＡＳＩＣ１１０へはクロックASIC_CLKを、ＳＤＲＡＭ１０２へはクロックSDRAM_CLKを、ＣＰＵ１０１へはクロックCPU_CLKをそれぞれ供給する。
【００１３】
ＡＳＩＣ１１０は、ＳＤＲＡＭ１０２へその動作を制御する制御信号を出力する。また、クロック供給部１１５によるＳＤＲＡＭ１０２へのクロックASIC_CLKの供給のＯＮ／ＯＦＦを制御するクロックＯＮ／ＯＦＦ信号をクロック供給部１１５へ出力する。よって、このＡＳＩＣ１１０が、クロック停止手段としての機能を果たす。また、モード切替手段としての機能も果たす。なお、クロックのＯＮ／ＯＦＦの制御は、ＡＳＩＣ１１０によってハード的になされる場合の他に、ＣＰＵ１０１からの要求による場合も考えられる。後者の場合には、ＣＰＵ１０１がクロック停止手段としての機能を果たす。また、モード切替手段としての機能も果たす。
【００１４】
図３は、システムコントローラ１００のＡＳＩＣ１１０によるこの発明に係わる動作の一例を示すフローチャートである。なお、その動作をＣＰＵ１０１が行うようにしてもよい。
システムコントローラ１００のＡＳＩＣ１１０は、ステップＳ１で一定時間ＳＤＲＡＭ１０２（メモリ）へのアクセスがあったか否かを判断し、そのアクセスがなかった場合に、ステップＳ２に遷移して現在ＳＤＲＡＭ１０２へのクロックの供給が停止中であるか否かを判断する。
【００１５】
そして、現在ＳＤＲＡＭ１０２へのクロックの供給が停止中であった場合には、ステップＳ５に遷移してＳＤＲＡＭ１０２へのアクセス要求を待つ。
現在ＳＤＲＡＭ１０２へのクロックの供給が停止中でなかった場合には、ステップＳ３に遷移してＳＤＲＡＭ１０２をセルフリフレッシュモードに移行させ（切り替え）、ステップＳ４で前述のクロックＯＮ／ＯＦＦ信号によりクロック供給部１１５によるＳＤＲＡＭ１０２へのクロックの供給をＯＦＦにし（クロックの供給を停止させ）、ステップＳ５へ遷移してＳＤＲＡＭ１０２へのアクセス要求を待つ。
【００１６】
そして、ＳＤＲＡＭ１０２へのアクセス要求があった場合に、ステップＳ６に遷移してクロックＯＮ／ＯＦＦ信号によりクロック供給部１１５によるＳＤＲＡＭ１０２へのクロックの供給をＯＮにし（クロックの供給停止を解除させ）、ステップＳ７でＳＤＲＡＭ１０２をセルフリフレッシュモードからオートリフレッシュモードに移行させた後、ステップＳ１に戻って上述と同様の制御を繰り返す。
【００１７】
図４は、システムコントローラ１００のＡＳＩＣ１１０によるこの発明に係わる動作の他の例を示すフローチャートである。なお、その動作をＣＰＵ１０１が行うようにしてもよい。
システムコントローラ１００のＡＳＩＣ１１０は、ステップＳ１１で省エネモード（低電力モード）への移行の要求の有無を判断し、その要求があった場合に、ステップＳ１２に遷移して省エネモードに移行するための所定の処理を実施した後、ステップＳ１３に遷移してＳＤＲＡＭ１０２（メモリ）へのアクセス中であるか否かを判断する。
【００１８】
そして、ＳＤＲＡＭ１０２へのアクセス中でない場合に、ステップＳ１４に遷移してＳＤＲＡＭ１０２をセルフリフレッシュモードに移行させ、ステップＳ１５でクロックＯＮ／ＯＦＦ信号によりクロック供給部１１５によるＳＤＲＡＭ１０２へのクロックの供給をＯＦＦにし、ステップＳ１６へ遷移して省エネモードから復帰するための省エネモードからの復帰要求の有無を判断し、その復帰要求があった場合に、次の処理を行う。
【００１９】
すなわち、ステップＳ１７でクロックＯＮ／ＯＦＦ信号によりクロック供給部１１５によるＳＤＲＡＭ１０２へのクロックの供給をＯＮにし、ステップＳ１８でＳＤＲＡＭ１０２をセルフリフレッシュモードからオートリフレッシュモードに移行させ、ステップＳ１９で省エネモードからの復帰のための所定の処理を実施した後、ステップＳ１１に戻って上述と同様の制御を繰り返す。
【００２０】
このように、メモリへのアクセスがない時にそのメモリをセルフリフレッシュモードに移行させると共に、そのメモリへのクロックの供給を停止することにより、セルフリフレッシュによる消費電力の低減と共にクロック供給部の消費電力の低減を達成でき、更に不要な輻射ノイズの発生を抑えることができる。
また、省エネモード時に、メモリをセルフリフレッシュモードに移行させると共に、そのメモリへのクロックの供給を停止することにより、セルフリフレッシュによる消費電力の低減と共にクロック供給部の消費電力の低減を達成でき、更に省エネモード時の不要な輻射ノイズの発生を抑えることができる。
【００２１】
さらに、セルフリフレッシュモード移行後にメモリへのクロックを停止すれば、メモリの内容を破壊することなくクロックの停止が可能となる。
以上、この発明を画像形成装置に適用した実施例について説明したが、この発明はこれに限らず、画像読取装置（例えばスキャナ装置）等の各種の電子機器に適用可能である。
【産業上の利用可能性】
【００２２】
以上の説明から明らかなように、この発明によれば、電子機器において、記憶手段（メモリ）へのアクセスが行われていない場合に、その記憶手段をセルフリフレッシュモードに切り替えると共に、クロック供給手段による記憶手段へのクロックの供給を停止するので、電子機器の消費電力をより低減させることができる。また、不要輻射ノイズも低減することができる。したがって、この発明を利用すれば、電力消費および不要輻射ノイズを更に抑えた電子機器を提供することができる。
【図面の簡単な説明】
【００２３】
【図１】この発明を実施する画像形成装置の構成例を示すブロック図である。
【図２】図１に示したシステムコントローラ１００における要部構成例を示すブロック図である。
【図３】図２のＡＳＩＣ１１０によるこの発明に係わる動作の一例を示すフロー図である。
【図４】同じくこの発明に係わる動作の他の例を示すフロー図である。
【符号の説明】
【００２４】
１００：システムコントローラ    １０１：ＣＰＵ    １０２：ＳＤＲＡＭ
１１０：ＡＳＩＣ    １１５：クロック供給部
【図１】
2006262377.tif 000003
【図２】
2006262377.tif 000004
【図３】
2006262377.tif 000005
【図４】
2006262377.tif 000006